(57)【要約】【課題】就寝時、使用者に心地よい音楽を提供することができる寝具を提供すること。【解決手段】マットレス本体４と、マットレス本体４の足側に設けられたスピーカ６１及び６２と、を有することを特徴とする。つまり、使用者に対して、足側にスピーカを配設することで、就寝時に邪魔になることがないとともに、包み込まれるような臨場感あふれる音響効果を発揮できる。なお、本発明において、スピーカを足側に配設するとは、使用者がマットレス本体上で横たわったときに使用者の腰の位置より足側に配設することをいう。具体例を挙げると、一般的な長さのマットレス本体であれば長さ方向でマットレス本体を半分に分割したうちの足側にスピーカが配設される。そして、前記スピーカは横たわった状態の使用者の耳の高さに配設されていることが好ましい。スピーカの高さについても適正に調節することでより高い臨場感が得られるという効果が発揮できる。【選択図】  図１
2005137570.tif 000002
【特許請求の範囲】
【請求項１】
下敷用寝具と、
該下敷用寝具の足側に設けられたスピーカと、
を有することを特徴とする寝具。
【請求項２】
前記スピーカは横たわった状態の使用者の耳の高さに配設されている請求項１に記載の寝具。
【請求項３】
更に、前記下敷用寝具を載置する台部材を有し、
前記スピーカは該台部材に配設されている請求項１又は２に記載の寝具。
【請求項４】
前記台部材は、前記下敷用寝具の頭側の端部に配設されたヘッドボードと足側の端部に配設されたフットボードと該ヘッドボード及び該フットボードの間を接続し該下敷用寝具を直接載置するサイドボードとからなり、
前記スピーカは、該フットボードの該下敷用寝具側の面であって該下敷用寝具側に音声を出力する方向で配設されている請求項１〜３のいずれかに記載の寝具。
【請求項５】
更に、前記下敷用寝具に振動を与える振動装置を備える請求項１〜４のいずれかに記載の寝具。
【発明の詳細な説明】
【技術分野】
【０００１】
本発明は、ベッド、マットレス、蒲団などの寝具に関し、詳細には使用者に対するリラクゼーション効果を高めた寝具に関する。
【背景技術】
【０００２】
現代人は、急激な社会環境の変化により、通常の社会生活においても知らず知らずのうちに多大なストレスが加わっている。近年、クオリティー・オブ・ライフ（生活の質）の向上についての関心が高まり、これらストレスを解消する手法についても種々提案されている。その中でも、ストレス解消効果の観点からは質の高い睡眠を確保することが重要であることが知られているが、質の高い睡眠を確保することは困難になっている。ここで、質の高い睡眠を実現するために音楽や振動を利用することが効果的であることが知られており、従来、頭部の左右に配置したスピーカと、足部の左右に配置した振動装置とを有する寝具が提案されている（特許文献１）。心地よい音楽や振動を入眠時乃至は睡眠中に身体に加えることで高いリラクゼーション効果が発揮でき質の高い睡眠が得られるものと考えられる。
【特許文献１】特開２０００−８３７６６号公報
【発明の開示】
【発明が解決しようとする課題】
【０００３】
ところで、従来の寝具には以下の問題点があることが分かった。すなわち、音源であるスピーカが耳元に存在するので、音楽などを鑑賞する場合には音が良く聴き取れて好ましい場合もあるが、リラクゼーション効果を得る目的のためには、あまりに音源が近すぎ、かえって使用者に疲労を与えることがある。また、スピーカをマットレスや蒲団などの枕元に配設しているので、寝返りなどによりスピーカが頭などに当たって不快になる可能性もある。更に、耳元で大きなスピーカを使用すると、前述の不具合が大きくなるおそれがあるので、音質の悪い小さなスピーカしか使用できない場合が多い。従って、使用者が心地よく音楽を楽しむことができ高いリラクゼーション効果を発揮できる寝具が提供されることが望まれている。
【０００４】
本発明は上記実情に鑑みてなされたものであり、就寝時、使用者に心地よい音楽を提供することができる寝具を提供することを解決すべき課題とする。
【課題を解決するための手段】
【０００５】
上記課題を解決する本発明の寝具は、下敷用寝具と、該下敷用寝具の足側に設けられたスピーカと、を有することを特徴とする。
【０００６】
つまり、使用者に対して、足側にスピーカを配設することで、就寝時に邪魔になることがないとともに、包み込まれるような臨場感あふれる音響効果を発揮できる。音源の方向が足元方向になることで体全体が音楽に包まれるように感じることができる。なお、本発明において、スピーカを足側に配設するとは、使用者が下敷用寝具上で横たわったときに使用者の腰の部分にて垂直に切断する面より足側に配設することをいう。高さ方向については特に限定しない。具体例を挙げると、一般的な長さの下敷用寝具であれば長さ方向で下敷用寝具を半分程度に分割したうちの足側にスピーカが配設される。
【０００７】
そして、前記スピーカは横たわった状態の使用者の耳の高さに配設されていることが好ましい。つまり、一般的には下敷用寝具の表面よりも僅かに高い位置に配設することが好ましい。スピーカの高さについても適正に調節することでより高い臨場感が得られるという効果が発揮できる。つまり、音源の位置をほぼ完全に足元にすることで音が足元から伝播し臨場感が向上できる。
【０００８】
また、更に、前記下敷用寝具を載置する台部材を有し、前記スピーカは該台部材に配設することもできる。ベッドのように、マットレス（下敷用寝具）が台部材上に載置されている場合にはマットレスそのものにスピーカを配設するほか、台部材に配設することもできる。台部材にスピーカを配設する場合、前記台部材としては、前記下敷用寝具の頭側の端部に配設されたヘッドボードと足側の端部に配設されたフットボードと該ヘッドボード及び該フットボードの間を接続し該下敷用寝具を直接載置するサイドボードとからなり、前記スピーカは、該フットボードの該下敷用寝具側の面であって該下敷用寝具側に音声を出力する方向で配設されていることが好ましい。更に、前記下敷用寝具に振動を与える振動装置を備えることで、より高い臨場感及びリラクゼーション効果を発揮できる。
【発明を実施するための最良の形態】
【０００９】
以下に本発明の寝具について詳細に説明する。
【００１０】
本実施形態の寝具は下敷用寝具を有するものである。下敷用寝具は、単体で使用されるもの（例えば敷き布団やマットレス）や他の構成要素（下敷用寝具を載置する台部材など）を組み合わせてベッドとして使用されるもの（例えばマットレス）などがある。本実施形態の寝具は更に足側に配設されたスピーカを有する。スピーカとしては特に限定されず、通常のスピーカを採用することができる。スピーカの数も特に限定されない。臨場感を向上するには２個以上のスピーカを採用することができる。また、就寝時の使用に際して、足元に配設されたスピーカからの出力がメインである限り、他の部位（頭部の近傍、手の近傍など）にスピーカを補助的に配設することもできる。補助的に配設されるスピーカは積極的に音楽鑑賞を行おうとする際にはメインのスピーカとして用いることもできる。スピーカを下敷用寝具に直接配設する場合には下敷用寝具の内部に配設したり、外部に配設したりできる。
【００１１】
スピーカが使用者の耳元から離れた足元近傍から音楽を流すことで、使用者に不快感を与えることなく、音楽の発揮するリラクゼーション効果を高めることができる。また、寝返りなどにより耳の位置が変化してもスピーカの位置が離れているので音源の方向が安定して常に高い臨場感を発揮できるとともに、スピーカに頭などをぶつけるおそれがない。なお、寝具に組み合わせられたスピーカではなく、通常の音響装置に付属のスピーカを足元に配置することも考えられるが、別個独立のスピーカを適正位置に調整して配設するのは煩雑であるとともに就寝時などの足元が暗いときなどに足などの身体の一部をぶつけるおそれもある。また、全体としてのデザイン上のまとまりを損なうおそれもある。
【００１２】
下敷用寝具を載置する台部材を用いる場合には、台部材にスピーカを配設することもできる。台部材は例えば、下敷用寝具の頭側の端部に配設されたヘッドボードと足側の端部に配設されたフットボードとそれらヘッドボード及びフットボードの間を接続するサイドボードとから構成することができる。この場合に、スピーカはフットボードの下敷用寝具側の面や、サイドボードに配設できる。特にフットボードに配設することが好ましい。フットボード上でスピーカを配設する位置としては幅方向の両端部に配設することが好ましい。スピーカはできるだけ離して配設することで、より高い臨場感が得られるとともに、寝具とともに使用する掛け蒲団、毛布などにより塞がれて、音声の出力が邪魔されたりするおそれが少なくなる。更に、フットボードの幅は下敷用寝具の幅より広くして、スピーカを下敷用寝具の幅からはみ出した部分に配設することが好ましい。
【００１３】
本寝具は、更に下敷用寝具に振動を与える振動装置を備えることが好ましい。音楽に合わせて又は独立して振動装置により振動を使用者に与えることで音楽と振動との相乗効果でより高い臨場感及びリラクゼーション効果を発揮できる。振動装置を配設する部位は、使用者の足元付近、両手付近などである。振動装置としては特に限定しない。振動装置が発生する振動の周波数としては２０〜１００Ｈｚ程度の低い周波数を選択することが好ましい。
【００１４】
更に、スピーカや振動装置を駆動する駆動装置を有することができる。駆動装置としては通常のオーディオ装置におけるメインアンプなどが使用できる。このメインアンプなどの駆動装置は入力されたＣＤ再生装置、ラジオなどの音楽再生装置から入力されるオーディオ信号を増幅してスピーカや振動装置を駆動する。駆動装置や音楽再生装置は寝具内に内蔵することもできる。例えば、ヘッドボード内に配設して、使用者が寝ながら音の大きさの調節や選曲などの操作を行うことができる。駆動装置を有しない場合には通常のオーディオ装置のスピーカ出力をそのまま接続して使用することもできる。
【実施例】
【００１５】
本実施例の寝具としてのベッドは下敷用寝具としてのマットレス本体とそのマットレス本体を載置する台部材としてのベッド本体とベッド本体に配設されたスピーカと振動装置と駆動手段と音楽再生装置としてのＣＤ再生装置とをもつ。マットレス本体は、図１及び２に示すように、厚さ方向の両面に発泡ウレタンから構成されるクッション体が設けられ、厚さ方向の中央部にばねが並列に並べられているマットレス本体４と、そのマットレス本体４内部であって足側の端部４１から僅かに内側及びマットレス本体の両側側面４２及び４３にそれぞれ配設された３組の振動装置５１、５２及び５３とをもつ。振動装置５１、５２及び５３は、複数の振動子（図略）と、発泡ウレタンから構成され内部に振動子を配設できる空間をもつ振動体（図略）とを有する。
【００１６】
マットレス本体４内部の足側４１近傍に配設した振動装置５１は直方体の外観をもつ。振動子の振動方向はマットレス本体４の長さ方向である。振動方向をこの方向にすることで、使用者に効果的に振動を伝播させることができる。
【００１７】
マットレス本体４の側面４２及び４３に配設された２つの振動装置５２及び５３は円柱を軸方向にて切断した形状をもち、マットレス本体４に接する面と上下面が平面であり、マットレス本体４の側面４２及び４３と反対側の面が曲面である。つまり、マットレス本体４の側面４２及び４３にてマットレス本体４の長さ方向に沿ったふくらみをもつ意匠性に優れた形状であるとともに、使用者がマットレス本体４上に乗る場合に足などを振動装置５２及び５３の角などに当たり難い形状となっている。これら振動装置５２及び５３の内部構造は内部に設けられた格納空間にて振動子を保持する構造になっている点で振動装置５１と大差ない構造である。この振動装置５２及び５３の振動方向はマットレス本体４の側に向かう方向であるが、側面４２及び４３に平行な方向でも良い。振動方向をこの方向にすることで、使用者に効果的に振動を伝播させることができる。
【００１８】
図１及び２に示すように、ベッド本体１は、ヘッドボード１１とフットボード１２とサイドボード１３とからなる。ベッド本体１はマットレス本体４を載置・固定する部材である。ヘッドボード１１はマットレス本体４の頭側の端部に接するように配設されたマットレス本体４の長さ方向の厚みが薄い略直方体状の箱であり、内部に電灯（図略）及び駆動手段の制御を行う操作盤（図略）をもつ。更に、ヘッドボード１１の内部には後述する駆動手段を内蔵する。
【００１９】
フットボード１２はマットレス本体４の足側の端部に接するように配設されたマットレス本体４の長さ方向の厚みが薄い略直方体状の箱であり、内部にスピーカ６１及び６２をもつ。スピーカ６１及び６２はフットボード１２のマットレス本体４側の面であって、幅方向の両端及び高さ方向の最上部近傍に配設されている。スピーカ６１及び６２はマットレス本体４側に開口することで音をその方向に放出する。フットボード１２の幅はマットレス本体４の幅よりも広く、振動装置５２及び５３を含めた幅と同程度の幅をもつ。そして、フットボード１２の高さはマットレス本体４よりも数十ｃｍ高い。
【００２０】
サイドボード１３はヘッドボード１１及びフットボード１２の間を接続する井桁構造をもつ部材であり、上にマットレス本体４を直接載置している。
【００２１】
駆動手段（図略）は所定の振動数（２０〜１００Ｈｚ程度）をもつ電気信号（低音オーディオ信号）が効果的に増幅できる装置であり、オーディオ装置におけるいわゆるパワーアンプである。駆動手段にはＣＤ再生装置からオーディオ信号が入力されそのオーディオ信号を増幅してスピーカ６１及び６２と振動装置５１、５２及び５２とに出力する。振動装置にはオーディオ信号のうちの低音部を分配して選択的に出力している。
【図面の簡単な説明】
【００２２】
【図１】実施例にて用いた寝具を示した概略上面図である。
【図２】実施例にて用いた寝具を示した概略側面図である。
【符号の説明】
【００２３】
１…ベッド本体
１１…ヘッドボード    １２…フットボード    １３…サイドボード
振動子
４…マットレス本体
５１、５２、５３…振動装置
６１、６２…スピーカ
【図１】
2005137570.tif 000003
【図２】
2005137570.tif 000004